(57)【要約】【課題】    一つの装飾品の飾りパーツを他の装飾品にも用いる。【解決手段】    ネックレス１３０ａ、ブレスレット、ピアス、イヤリング、リング（指輪）、アンクレットなどの装飾品は、それぞれ本体１３４、１３１と飾りパーツ１００とからなり、該本体１３４、１３１と飾りパーツ１００は別々に分かれていて、該飾りパーツ１００は２種以上の本体に取付け可能になっている。【選択図】図２
0003125006.tif 000002
【実用新案登録請求の範囲】
【請求項１】
ネックレス、ブレスレット、ピアス、イヤリング、リング（指輪）、アンクレットなどの装飾品であって、該装飾品はそれぞれ本体と飾りパーツとからなり、前記本体と飾りパーツは別々に分かれており、前記飾りパーツは２種以上の前記本体に取付け可能になっていることを特徴とする装飾品。
【請求項２】
前記本体は２種以上をセットにしてパッケージしてあることを特徴とする請求項１に記載の装飾品。
【請求項３】
前記飾りパーツは１種以上で、前記本体のパッケージのセット数に応じて複数個をセットにしてパッケージしてあることを特徴とする請求項１又は２に記載の装飾品。
【請求項４】
前記飾りパーツは前記本体との取付け用の取付け部を有することを特徴とする請求項１乃至３のいずれか１項に記載の装飾品。
【請求項５】
前記リングの本体は前記飾りパーツ取付け用の溝を有することを特徴とする請求項１に記載の装飾品。
【考案の詳細な説明】
【技術分野】
【０００１】  本考案はネックレス、ブレスレット、ピアス、イヤリング、リング（指輪）、アンクレットなどの装飾品に関する。
【背景技術】
【０００２】  装飾品にはネックレス、ブレスレット、ピアス、イヤリング、リング（指輪）、アンクレットなどがある。これらの装飾品は、本体と飾りパーツの二つの部分から成る。  本体とは、例えば、ネックレスのチェーンの様に、装飾品の使用に際して、人体に装着する部分を指す。また、飾りパーツとは、ダイヤ、サファイヤ、ジルコニア、水晶、オパール、パール、貴金属（金、プラチナ、銀など）、貴石などを主構成品とした装飾品の主要部分である。本体と飾りパーツの二つの部分を一体化して一つの装飾品を構成する。【０００３】  従来、ネックレス、ブレスレッド、ピアス、イヤリング、リング、アンクレッドなどの装飾品は飾りパーツと本体とが一体になって販売されているのが多い。これら一体となった従来の装飾品について、図１１から図１５を用いて説明する。図１１から図１４は、本体と飾りパーツを着脱不能に一体化した装飾品であり、図１１はネックレスの平面図、図１２はリングの側面図、図１３はネックレスやブレスレットの平面図、図１４はイヤリングの側面図で、図１４（ａ）は、Ｕ字型本体に飾りパーツを固定化する場合を、図１４（ｂ）はＵ字型本体に設けた丸カンに飾りパーツを固定化する場合を示している。また、図１５は、背景技術において、本体と飾りパーツを固着せず別体とした場合の一例であり、飾りパーツの一部に、チェーンを通したネックレスの平面図を示している。【０００４】  先ず、図１１に示したネックレス１０を説明する。飾りパーツ１には、細線を半円形に形成した取付け部１ａが左右に２箇所設けてある。その取付け部１ａに本体２となるチェーンの端部が噛み合って飾りパーツ１と本体２を一体化してネックレス１０を構成している。【０００５】  次に、図１２に示したリング２０の場合、リング状の金属３にロー付けで石座４（宝石などを載せる座）を設けた本体７を用意しておく。石座４には塑性変形し易い材料（金属等）を用い、飾りパーツ５となる宝石等を石座４に載せておいてから爪部４ａを内側に折り曲げて宝石等を石座４に固定する。【０００６】  次に、図１３に示したネックレス３０の場合は、本体６を成すチェーン６ａの両端部をつなぐ丸カン６ｂに、飾りパーツ８の取付け部８ａを噛み合わせることでネックレス３０を形成している。ブレスレットでも同様である。【０００７】  次に、図１４（ａ）に示したイヤリング４０の場合は、Ｕ字型の本体９に飾りパーツ１１をネジ止めしてから接着剤で固定化する場合がある。また、図１４（ｂ）に示したイヤリング５０の場合は、Ｕ字型の本体１３に、丸カン１３ａをロー付け等で固着しておき、該丸カン１３ａに、飾りパーツ１２の取付け部１２ａを着脱不可の状態で噛み合わせることにより、飾りパーツ１２とＵ字型本体１３を一体化している。【０００８】  次に、図１５に示したネックレス６０の場合は、本体１４であるチェーンと飾りパーツ１５は別体にしておき、飾りパーツ１５の取付け部１５ａをチェーンに通してネックレス６０として使用することもあった。しかし、この場合は、飾りパーツ１５の取付け部１５ａは、組み合せるチェーン専用の形状をしていた。
【考案の開示】
【考案が解決しようとする課題】
【０００９】  従来の装飾品では、ネックレス、リング、イヤリング等をセットにして販売することもあったが、飾りパーツは本体に固定されて一体化しており、その飾りパーツを他の装飾品の飾りパーツとして使うことができなかった。従って、もし、特に気に入った飾りパーツがあったとしても、一種類の装飾品としてしか利用できなかった。そのため、多種類の装飾品を揃える場合、一種類ずつ買い求めなければならなかった。【００１０】  従来のネックレスには、チェーンと飾りパーツの様に別体になっていて、飾りパーツをチェーンに通して使うようになっている物もあった。しかし、その飾りパーツはネックレス専用になっており、飾りパーツを他の装飾品と共有して使う構造にはなっていなかった。
【課題を解決するための手段】
【００１１】  本考案は上記課題を解決するために成されたものである。解決する手段として、本考案の請求項１記載に係わる考案は、ネックレス、ブレスレット、ピアス、イヤリング、リング（指輪）、アンクレットなどの装飾品であって、該装飾品はそれぞれ本体と飾りパーツとからなり、前記本体と飾りパーツは別々に分かれており、前記飾りパーツは２種以上の前記本体に取付け可能になっていることを特徴とするものである。【００１２】  また、本考案の請求項２記載に係わる考案は、前記本体は２種以上をセットにしてパッケージしてあることを特徴とするものである。【００１３】  また、本考案の請求項３記載に係わる考案は、前記飾りパーツは１種以上で、前記本体のパッケージのセット数に応じて複数個をセットにしてパッケージしてあることを特徴とするものである。【００１４】  また、本考案の請求項４記載に係わる考案は、前記飾りパーツは前記本体との取付け用の取付け部を有することを特徴とするものである。【００１５】  また、本考案の請求項５記載に係わる考案は、前記リングの本体は前記飾りパーツ取付け用の溝を有することを特徴とするものである。
【考案の効果】
【００１６】  考案の効果として、請求項１記載に係わる本考案の装飾品は、本体と飾りパーツは別々に分かれており、飾りパーツは２種以上の本体に取付け可能になっているので、少ない飾りパーツを用意するだけで安価にすることもできる。また、数種の飾りパーツを用意すれば装飾品として多くのバリエーションを楽しむことができる。【００１７】  また、請求項２記載に係わる本考案は、本体が２種以上をセットにしてパッケージしてあるので、本体が２種類以上の装飾品を、一度に、安価に揃えておくことが可能になる。【００１８】  また、請求項３記載に係わる本考案の装飾品は、飾りパーツが１種以上で、かつ本体のパッケージのセット数に応じて複数個をセットにしてパッケージしてあるので、同種の飾りパーツを、異なる本体と組み合せることで、別種の装飾品として、同時に使用することも可能になる。【００１９】  また、請求項４記載に係わる本考案の装飾品は、飾りパーツ側に本体との取付け用の取付け部を有するので、どの種類の本体にも取り付けられるようになる。そして、多くの装飾バリエーションに対し、安価に対応可能になる。【００２０】  また、請求項５記載に係わる本考案の装飾品は、リングの本体に、飾りパーツ取付け用の溝を有する為、飾りパーツがリングの溝に嵌合して安定した固定ができる。
【考案を実施するための最良の形態】
【００２１】  次に本考案を実施するための最良の形態（以下、「実施形態」と略す）を、図１〜１０を用いて説明する。図１は第１実施形態の飾りパーツの側面図で、図１（ａ）は飾りパーツ単独の場合、図１（ｂ）は飾りパーツの取付け部が本体の取付け部との嵌合過程で変形する場合、図１（ｃ）は飾りパーツの取付け部と本体の取付け部との嵌合が完了した場合を示している。図２は第１実施形態の飾りパーツをネックレスとして利用した場合の平面図で、図２（ａ）はネックレスの本体として鎖のみから成るチェーンを用いた場合、図２（ｂ）はネックレスの本体として丸カンを有するチェーンを用いた場合を示している。図３は第１実施形態の飾りパーツをブレスレットとして用いた場合の平面図、図４は第１実施形態の飾りパーツをイヤリングとして用いた場合の側面図で、図４（ａ）はＵ字型の本体に第１実施形態の飾りパーツを取付けた場合、図４（ｂ）はＵ字型の本体の下端部に丸カンを設け、該丸カンに第１実施形態の飾りパーツを取付けた場合、図４（ｃ）はＵ字型の本体の側面に丸カンを設け、該丸カンに第１実施形態の飾りパーツを取付けた場合を示している。図５は第１実施形態の飾りパーツをリングとして用いる場合の説明図であり、図５（ａ−１）は本体の側面図、図５（ａ−２）は図５（ａ−１）の本体を上方から見た平面図、図５（ａ−３）は図５（ａ−１）の本体を右側面から見た側面図、図５（ｂ）は図５（ａ−１）の本体と第１実施形態の飾りパーツとの嵌合過程の説明図、図５（ｃ）は図５（ａ−１）の本体への第１実施形態の飾りパーツの取付けが完了した場合の側面図である。また、図６は第２実施形態の飾りパーツの側面図、図７は第２実施形態の飾りパーツをネックレスや、ブレスレットとして用いた場合の平面図、図８は第２実施形態の飾りパーツをリングとして用いる場合の説明図で、図８（ａ−１）は本体の側面図、図８（ａ−２）は図８（ａ−１）の本体の底面図、図８（ｂ）は図８（ａ−１）の本体へ第２実施形態の飾りパーツを取付けた場合の側面図である。また、図９は、第３実施形態の飾りパーツの側面図、図１０は第３実施形態の飾りパーツをネックレスとして用いた場合の平面図である。【００２２】  図１（ａ）に示した本考案の第１実施形態の飾りパーツ１００は、宝飾部１１０とその上部に固着した取付け部１２０とからなる。また、取付け部１２０は、基部１２１と、そこから延びる２本のアーム１２２から成る。図１（ａ）の様に、アーム１２２に外力が作用してない状態では、２本のアーム１２２は端部で接触して、２本のアーム１２２と基部１２１で閉空間１２３を形成している。しかし、図１（ｂ）の様に、（例えば、本体側の取付け部Ａとの嵌合過程で）アーム１２２に外力Ｆを加えるとアーム１２２は両側に広がり、割り込み口１２４が形成される。アーム１２２は、一定の開き角度迄は、開閉を繰返しても、だれない様にするため、材質としては、バネ性を有する金属を用いるので、更に、力Ｆが除かれると図１（ｃ）の様に、再び閉空間１２３を形成する。【００２３】  先ず、第１実施形態の飾りパーツ１００をネックレスとして用いる場合を、図２で説明する。図２（ａ）の場合は、飾りパーツ１００のアーム１２２を開いて、本体１３４であるチェーンを閉空間１２３に閉じ込めることでネックレス１３０ａが完成する。また、図２（ｂ）の様に、本体１３１がチェーン１３３と丸カン１３２から成る場合は、該丸カン１３２に飾りパーツ１００のアーム１２２を嵌合させることでネックレス１３０ｂが完成する。【００２４】  次に、第１実施形態の飾りパーツ１００を、ブレスレットとして用いる場合を図３を用いて説明する。図３において、本体１４３はチェーン１４１に丸カン１４２が２個取付けた場合のものである。各丸カン１４２に飾りパーツ１００を１個づつ嵌合させブレスレット１４０として用いる。【００２５】  次に、図４を用いて、第１実施形態の飾りパーツ１００をイヤリングとして用いる場合を説明する。図４（ａ）の場合は、Ｕ字型の本体１５１に飾りパーツ１００のアーム１２２を嵌合させ、イヤリング１５０ａとして用いる。また、図４（ｂ）の場合は、Ｕ字型の底部に丸カン１５２ｂを固着した本体１５２に、第１実施形態の飾りパーツ１００のアーム１２２を丸カン１５２ｂに嵌合させることでイヤリング１５０ｂとして用いる。また、図４（ｃ）の場合は、Ｕ字型の側面に丸カン１５３ｂを固着した本体１５３に、第１実施形態の飾りパーツ１００のアーム１２２を丸カン１５３ｂに嵌合させることでイヤリング１５０ｃとして用いる。【００２６】  次に、図５を用いながら、第１実施形態の飾りパーツ１００をリング（指輪）として用いる場合を説明する。指輪１６０としての最終形状は図５（ｃ）の様になるが、先ず、図５（ａ−１）、図５（ａ−２）、図５（ａ−３）を用いながら、リングの本体１６１から説明していく。リングの本体１６１は、金属製の厚肉の輪であり、その形状は、図５（ａ−３）に示す通り、上部に行く程、厚くなり幅も広くなる。また、該本体１６１の内面には、裏抜き部１６２が設けてある。また上部外周には溝１６３が設けてある。【００２７】  第１実施形態の飾りパーツ１００を前記リングの本体１６１へ装着する場合は、図５（ｂ）に示す様に、本体下部の細い部分に、横から飾りパーツ１００の取付け部のアーム１２２を押し広げながら押し込み、本体１６１と嵌合させる。その後、該飾りパーツ１００を本体１６１上部迄スライドさせ、本体上部の溝１６３位置に合せて起すことで、取付け部のアーム１２２が本体１６１の溝１６３にパチリと納まり固定する。尚、アーム１２２の先端は裏抜き部１６２に納まるので、指輪の使用に際しても違和感を覚えさせない。【００２８】  尚、図５（ａ）に示したリングの本体１６１には、溝１６３が３個設けてあるので、飾りパーツ１００も３個迄装着できる。勿論、溝数は３個に限定されず、飾りパーツ１００が取付け可能な範囲で任意数だけ設けることが可能である、【００２９】  以上の通り、第１実施形態の装飾品は、本体と飾りパーツが別々に分かれており、飾りパーツは多くの種類の装飾品として利用が可能である。そのため、本体は少なくとも２種類以上セットにしてパッケージ化しておくと、少なくとも２種類以上の装飾品が楽しめる。また、飾りパーツは本体の種類の数に合わせてセットにしてパッケージ化しておけば、どの種類の本体にも同時に用いることができる。そして、少ない飾りパーツを用意するだけで、装飾品として多くのバリエーションを楽しめる。また、飾りパーツは１種類だけでなく、２種類、３種類とセットにして用意しておくと、好みに合わせた装飾バリエーションを作り出すことができる。また飾りパーツの本体装着も簡単である。【００３０】  次に、本考案の第２実施形態の飾りパーツを図６を用いて説明する。図６に示す様に、第２実施形態の飾りパーツ２００は、宝飾部２１０と、その上面に固着した取付け部２２０とから成り、取付け部２２０は、更に、基部２２１とその上側に設けた丸カン部２２２とから成る。丸カン部２２２は、バネ性を有する線材を縦長の楕円形に成形した物である。【００３１】  次に、図７を用いて、第２実施形態の飾りパーツをネックレスに用いる場合を説明する。本体２３３を構成するチェーン２３１の端部には引き輪２３２が設けてあり、この引き輪２３２と、第２実施形態の飾りパーツ２００の丸カン部２２２とを嵌合することでネックレス２３０として使用可能になる。ブレスレットに用いる場合も同様である。【００３２】  図面は省略するが、第２実施形態の飾りパーツ２００をイヤリングとして用いる場合は、丸カン部２２２の穴に、前述の第１実施形態での図４（ａ）に示した様なＵ字体状の本体１５１を通して利用する。【００３３】  次に、図８を用いながら、第２実施形態の飾りパーツ２００をリングとして用いる場合を説明する。この場合、本体と飾りパーツとを組み合せた装飾品としての形状は図８（ｂ）の様になるが、先ず、リングの本体２４１の形状を図８（ａ−１）、図８（ａ−２）を用いながら説明する。【００３４】  リング２４０の本体２４１は、図８（ａ−１）に示すように、金属製の厚肉の輪であり、上部の方が厚く幅も広い。また上部外周には凸部２４２が、上部内周には裏面部へこみ２４３が、上部側面には裏面部へこみ２４３に連続した側面部へこみ２４４が設けてある。また、本体下部には、図８（ａ−２）に示すように、斜めにスリット２４５が入っている。【００３５】  第２実施形態の飾りパーツ２００を前記リングの本体２４１へ装着する方法は、飾りパーツの丸カン部２２２を、本体２４１のスリット２４５を通して嵌合させて、更に、上面の凸部２４２方向へスライドさせ、裏面部へこみ２４３に前記丸カン部２２２をかみ合わせておいてから、飾りパーツ２００を引き起すことで、本体２４１の側面部へこみ２４４に飾りパーツ２００の丸カン部２２２がパチリと入り固定される。尚、この状態で本体２４１内側に位置する丸カン部２２２は裏面部へこみ２４３に納まるので、リング２４０の使用に際しても違和感を覚えさせない。【００３６】  以上の通り、第２実施形態の装飾品も、本体と飾りパーツは別々に分かれており、飾りパーツは多くの種類の装飾品として利用が可能である。少ない飾りパーツを用意するだけで、装飾品として多くのバリエーションを楽しめる。また装着も簡単である。【００３７】  次に、本考案の第３実施形態の飾りパーツ３００の説明を行う。第３実施形態の飾りパーツ３００は、図９に示す様に、宝飾部３１０と、その上面に固着した取付け部３２０とから成り、取付け部３２０は、更に、基部３２１とその上側に設けたキーホルダー風リング３２２とから成��。キーホルダー風リング３２２とは、バネ性を有する線材を用いて丸カンを一周半させた様な物である。【００３８】  次に、図１０を用いて、第３実施形態の飾りパーツ３００をネックレス３３０として用いる場合を説明する。本体３３３はチェーン３３１とその端部に設けた丸カン３３２から成る。そして、この丸カン３３２と、飾りパーツ３００のキーホルダー風リング３２２とを直接嵌合したり、間に延長部品３３４を挟みながら適宜、取付けることでネックレス３３０として使用可能になる。【００３９】  第３実施形態の装飾品も、本体と飾りパーツは別々に分かれており、飾りパーツは多種の装飾品用に利用可能である。飾りパーツを変えたり、また、飾りパーツを複数個付ける等して色々なバリエーションが楽しめる。図１０に示す場合は３個の飾りパーツを取り付ける事でゴージャス感を出している。また、図面は省略したが、第３実施形態の飾りパーツを指輪に用いる場合、図８を用いて説明した様に指輪の本体の下面にスリットを設けなくても、該本体の一番細い箇所から、キーホルダー風リングを通し、更にバネ性を利用しながら飾りパーツを本体に装着することもできる。【００４０】  ところで、本考案の装飾品の顧客は、ある特定の装飾品として完成した物を購入するのではなく、各パーツとして購入することが基本になるので、本体と飾りパーツの組み合せ方が重要となり、このため、販売者が予め行うパーツパッケージの仕方が従来品に比較してより重要になる。【００４１】  パッケージ種類の一つとして、本体を２種以上セットにしてパッケージしておけば、顧客は、本体が２種類以上の装飾品を、一度に、安価に揃えておくことが可能になる。【００４２】  また、飾りパーツは１種以上で、本体のパッケージのセット数に応じて複数個をセットにしてパッケージしておけば、同種の飾りパーツを、異なる本体と組み合せることで、別種の装飾品として、同時に使用したい場合に便利である。【００４３】  以上詳細に述べた通り、本考案の装飾品は本体と飾りパーツが別々に分かれており、また、飾りパーツは２種以上の本体に取付け可能になっているので、少ない飾りパーツを用意するだけで、装飾品として多くのバリエーションを楽しめる。また、パッケージにも工夫をこらしているので、多種類の装飾品を、一度に、安価に揃えたり、同種の飾りパーツを、別種の装飾品として、同時に使用する場合に便利である。
【図面の簡単な説明】
【００４４】
【図１】  本考案の第１実施形態の飾りパーツの側面図であり、図１（ａ）は飾りパーツ単独の場合を、図１（ｂ）は飾りパーツの取付け部が本体側取付け部との嵌合過程で変形する場合を、図１（ｃ）は飾りパーツの取付け部と本体側取付け部との嵌合が完了した場合を示す。
【図２】  本考案の第１実施形態の飾りパーツをネックレスとして利用した場合の平面図であり、図２（ａ）はネックレスの本体として鎖のみから成るチェーンを用いた場合を、図２（ｂ）はネックレスの本体として丸カンを有するチェーンを用いた場合を示す。
【図３】  本考案の第１実施形態の飾りパーツをブレスレットとして用いた場合の平面図である。
【図４】  本考案の第１実施形態の飾りパーツをイヤリングとして用いた場合の側面図であり、図４（ａ）はＵ字型の本体に第１実施形態の飾りパーツを取付けた場合を、図４（ｂ）はＵ字型の本体の下端部に丸カンを設け、該丸カンに第１実施形態の飾りパーツを取付けた場合を、図４（ｃ）はＵ字型の本体の側面に丸カンを設け、該丸カンに第１実施形態の飾りパーツを取付けた場合を示す。
【図５】  本考案の第１実施形態の飾りパーツをリングとして用いる場合の説明図であり、図５（ａ−１）は本体の側面図を、図５（ａ−２）は図５（ａ−１）の本体を上方から見た平面図を、図５（ａ−３）は図５（ａ−１）の本体を右側面から見た側面図を、図５（ｂ）は図５（ａ−１）の本体への第１実施形態の飾りパーツとの嵌合過程の説明図を、図５（ｃ）は図５（ａ−１）の本体への第１実施形態の飾りパーツの取付けが完了した場合の側面図を示す。
【図６】  本考案の第２実施形態の飾りパーツの側面図である。
【図７】  本考案の第２実施形態の飾りパーツをネックレスや、ブレスレットとして用いた場合の平面図である。
【図８】  本考案の第２実施形態の飾りパーツをリングとして用いる場合の説明図で、図８（ａ−１）は本体の側面図を、図８（ａ−２）は図８（ａ−１）の本体の底面図を、図８（ｂ）は図８（ａ−１）の本体へ第２実施形態の飾りパーツを取付けた場合の側面図である。
【図９】  本考案の第３実施形態の飾りパーツの側面図である。
【図１０】  本考案の第３実施形態の飾りパーツをネックレスとして用いた場合の平面図である。
【図１１】  背景技術におけるネックレスの平面図である。
【図１２】  背景技術におけるリングの側面図である。
【図１３】  背景技術におけるネックレスやブレスレットの平面図である。
【図１４】  背景技術におけるイヤリングの側面図で、図１４（ａ）は、本体に飾りパーツを固定化する場合を、図１４（ｂ）は本体に設けた丸カンに、飾りパーツを固定化する場合を示す。
【図１５】  背景技術において、本体と飾りパーツを固着せず別体とした場合の−例であり、飾りパーツの一部に、チェーンを通したネックレスの平面図である。
【符号の説明】
【００４５】  １００、２００、３００  飾りパーツ
１２０、２２０、３２０  取付け部
１３１、１３４、１４３、１５１、１５２、１５３、１６１、２３３、２４１、３３３  本体
１３０ａ、１３０ｂ、２３０、３３０  ネックレス
１４０  ブレスレット
１５０ａ、１５０ｂ、１５０ｃ  イヤリング
１６０、２４０  リング
１６３  溝
【図１】
0003125006.tif 000003
【図２】
0003125006.tif 000004
【図３】
0003125006.tif 000005
【図４】
0003125006.tif 000006
【図５】
0003125006.tif 000007
【図６】
0003125006.tif 000008
【図７】
0003125006.tif 000009
【図８】
0003125006.tif 000010
【図９】
0003125006.tif 000011
【図１０】
0003125006.tif 000012
【図１１】
0003125006.tif 000013
【図１２】
0003125006.tif 000014
【図１３】
0003125006.tif 000015
【図１４】
0003125006.tif 000016
【図１５】
0003125006.tif 000017